(57)【要約】      （修正有）【課題】回転子が斜めになり、又は横側に変位することがなく、液体が回転子の周りを均一に通過でき、噴霧穴から噴出される液体を均一にフォギングすることができる噴霧用ノズルを提供する。【解決手段】入水穴１２と、噴霧穴１４と、を備え、通路により入水穴１２と噴霧穴１４が連通される本体１０と、通路に組み付けられる回転子２０と、回転子２０の表面に形成され、螺旋部と、流路部と、を備え、流路部が螺旋部のねじ溝に位置し、螺旋部の外縁が通路の壁面に当接するガイド構造と、を含む。【選択図】図２
0003174881.tif 000002
【実用新案登録請求の範囲】
【請求項１】
入水穴（１２）と、噴霧穴（１４）と、を備え、通路（４０）により前記入水穴（１２）と前記噴霧穴（１４）が連通される本体（１０）と、
前記通路（４０）に組み付けられる回転子（２０）と、
前記回転子（２０）の表面に形成され、螺旋部（５２）と、流路部（５４）と、を備え、前記流路部（５４）が前記螺旋部（５２）のねじ溝に位置し、前記螺旋部（５２）の外縁が前記通路（４０）の壁面に当接するガイド構造（５０）と、
を含むことを特徴とする噴霧用ノズル。
【請求項２】
前記螺旋部（５２）の外縁には、第１斜面（５２ａ）と、前記第１斜面（５２ａ）と連接する第２斜面（５２ｂ）と、が設けられることを特徴とする、請求項１に記載の噴霧用ノズル。
【請求項３】
前記螺旋部（５２）の外縁には、第１斜面（５２ａ）と、第２斜面（５２ｂ）と、連接面（５２ｃ）と、が設けられ、前記連接面（５２ｃ）により前記第１斜面（５２ａ）と前記第２斜面（５２ｂ）が連接されることを特徴とする、請求項１に記載の噴霧用ノズル。
【請求項４】
前記回転子（２０）は、第１セクション（２２）と、第２セクション（２４）と、第３セクション（２６）と、を有し、前記第２セクション（２４）は、前記第１セクション（２２）と前記第３セクション（２６）の間に位置し、その外径が前記第１セクション（２２）と前記第３セクション（２６）との外径よりも大きく、前記ガイド構造（５０）が前記第２セクション（２４）の表面に形成されることを特徴とする、請求項１に記載の噴霧用ノズル。
【請求項５】
前記回転子（２０）は、第２セクション（２４）と、第３セクション（２６）と、を有し、前記ガイド構造（５０）が前記第２セクション（２４）の表面に形成され、前記第３セクション（２６）が円錐台形を呈することを特徴とする、請求項１に記載の噴霧用ノズル。
【請求項６】
前記回転子（２０）は、第２セクション（２４）と、第３セクション（２６）と、を有し、前記ガイド構造（５０）が前記第２セクション（２４）の表面に形成され、前記第３セクション（２６）は止め部（２６ａ）を有することを特徴とする、請求項１に記載の噴霧用ノズル。
【請求項７】
更に、前記止め部（２６ａ）から突出する延長段（２６ｂ）を有することを特徴とする、請求項６に記載の噴霧用ノズル。
【請求項８】
前記本体（１０）は、第１部材（１０ａ）と第２部材（１０ｂ）を結合して構成され、前記入水穴（１２）が前記第１部材（１０ａ）の端部に位置し、前記噴霧穴（１４）が前記第２部材（１０ｂ）の端部に位置することを特徴とする、請求項１に記載の噴霧用ノズル。
【請求項９】
前記第１部材（１０ａ）の内部には、その軸方向に沿う第１素子通路（４２）が設けられ、前記第１素子通路（４２）が前記入水穴（１２）と連接し、前記第２部材（１０ｂ）の内部には、その軸方向に沿う、第２素子通路（４４）と、チェンバー（４６）と、が設けられ、前記第２素子通路（４４）と前記第１素子通路（４２）から通路（４０）が形成され、前記第２素子通路（４４）は、前記チェンバー（４６）と連接し、前記チェンバー（４６）を介して前記噴霧穴（１４）と連接することを特徴とする、請求項４に記載の噴霧用ノズル。
【請求項１０】
前記第１部材（１０ａ）と前記第２部材（１０ｂ）は、そのうちの一つがねじ穴（１０ｉ）を有し、その残りが螺着段（１０ｇ）を有し、前記ねじ穴（１０ｉ）と前記螺着段（１０ｇ）により、前記第１部材（１０ａ）が前記第２部材（１０ｂ）と結合することを特徴とする、請求項８に記載の噴霧用ノズル。
【考案の詳細な説明】
【技術分野】
【０００１】
本考案は、液体をフォギング（霧化）するノズルに関し、特に、安定性が極めて高い噴霧用ノズルに関するものである。
【背景技術】
【０００２】
一般の噴霧用ノズルは、本体と、前記本体の内部の通路に組み付けられる回転子と、を含む。前記本体は、一端が入水穴を有し、他端が噴霧穴を有する。液体は、前記入水穴から前記本体に進入して、前記回転子と前記通路の間にある隙間を通過して、前記噴霧穴から外部に噴出すると、液体がフォギングされる。
【０００３】
液体は前記回転子と前記通路の間にある隙間を通過することが必要であるため、前記隙間は、０．１５ｍｍであるか、又は０．１５ｍｍよりも大きい。そうしないと、液体は前記隙間を順調に通過できない。
【０００４】
しかし、前記隙間が大きすぎると、前記通路において、前記回転子が斜めになり、又は横側に変位する。そうすると、回転子が不安定となって、噴霧効果が不安定となる。更に、回転子が押えられて前記通路の一側の壁面に当接して、液体が前記回転子の周りを均一に通過できず、噴霧穴から噴出される液体を均一にフォギングすることができない。
【考案の概要】
【考案が解決しようとする課題】
【０００５】
本考案の主な目的は、回転子が斜めになり、又は横側に変位することがなく、液体が回転子の周りを均一に通過でき、噴霧穴から噴出される液体を均一にフォギングすることができる噴霧用ノズルを提供することにある。
【課題を解決するための手段】
【０００６】
本考案の噴霧用ノズルによると、入水穴１２と、噴霧穴１４と、を備え、通路４０により入水穴１２と噴霧穴１４が連通される本体１０と、
通路４０に組み付けられる回転子２０と、
回転子２０の表面に形成され、螺旋部５２と、流路部５４と、を備え、流路部５４が螺旋部５２のねじ溝に位置し、螺旋部５２の外縁が通路４０の壁面に当接するガイド構造５０と、
を含むことを特徴とする。
【０００７】
本考案の噴霧用ノズルによると、螺旋部５２の外縁には、第１斜面５２ａと、第１斜面５２ａと連接する第２斜面５２ｂと、が設けられることを特徴とする。
【０００８】
本考案の噴霧用ノズルによると、螺旋部５２の外縁には、第１斜面５２ａと、第２斜面５２ｂと、連接面５２ｃと、が設けられ、連接面５２ｃにより第１斜面５２ａと第２斜面５２ｂが連接されることを特徴とする。
【０００９】
本考案の噴霧用ノズルによると、回転子２０は、第１セクション２２と、第２セクション２４と、第３セクション２６と、を有し、第２セクション２４は、第１セクション２２と第３セクション２６の間に位置し、その外径が第１セクション２２と第３セクション２６との外径よりも大きく、ガイド構造５０が第２セクション２４の表面に形成されることを特徴とする。
【００１０】
本考案の噴霧用ノズルによると、回転子２０は、第２セクション２４と、第３セクション２６と、を有し、ガイド構造５０が第２セクション２４の表面に形成され、第３セクション２６が円錐台形を呈することを特徴とする。
【００１１】
本考案の噴霧用ノズルによると、回転子２０は、第２セクション２４と、第３セクション２６と、を有し、ガイド構造５０が第２セクション２４の表面に形成され、第３セクション２６は止め部２６ａを有することを特徴とする。
【００１２】
本考案の噴霧用ノズルによると、更に、止め部２６ａから突出する延長段２６ｂを有することを特徴とする。
【００１３】
本考案の噴霧用ノズルによると、本体１０は、第１部材１０ａと第２部材１０ｂを結合して構成され、入水穴１２が第１部材１０ａの端部に位置し、噴霧穴１４が第２部材１０ｂの端部に位置することを特徴とする。
【００１４】
本考案の噴霧用ノズルによると、第１部材１０ａの内部には、その軸方向に沿う第１素子通路４２が設けられ、第１素子通路４２が入水穴１２と連接し、第２部材１０ｂの内部には、その軸方向に沿う、第２素子通路４４と、チェンバー４６と、が設けられ、第２素子通路４４と第１素子通路４２から通路４０が形成され、第２素子通路４４は、チェンバー４６と連接し、チェンバー４６を介して噴霧穴１４と連接することを特徴とする。
【００１５】
本考案の噴霧用ノズルによると、第１部材１０ａと第２部材１０ｂは、そのうちの一つがねじ穴１０ｉを有し、その残りが螺着段１０ｇを有し、ねじ穴１０ｉと螺着段１０ｇにより、第１部材１０ａが第２部材１０ｂと結合することを特徴とする。
【考案の効果】
【００１６】
本考案の噴霧用ノズルによれば、回転子が斜めになり、又は横側に変位することがなく、液体が回転子の周りを均一に通過でき、噴霧穴から噴出される液体を均一にフォギングすることができるという効果を有する。
【図面の簡単な説明】
【００１７】
【図１】本考案の一実施例の組合済み状態を示す斜視図である。
【図２】本考案の一実施例を示す分解斜視図である。
【図３】本考案の本体の構成を示す模式図である。
【図４】本考案の一実施例の組合済み状態を示す断面図である。
【図５ａ】本考案の回転子の構成を示す模式図である。
【図５ｂ】本考案の回転子の別の構成を示す模式図である。
【図５ｃ】本考案の回転子の更に別の構成を示す模式図である。
【図５ｄ】本考案の回転子のもう一つの構成を示す模式図である。
【図６】本考案の回転子及び通路の壁面を示す模式図（一）である。
【図７】本考案の回転子及び通路の壁面を示す模式図（二）である。
【図８】本考案のチェンバーの構成を示す模式図（一）である。
【図９】本考案のチェンバーの構成を示す模式図（二）である。
【図１０】本考案の一実施例の使用状態を示す模式図である。
【図１１】本考案の別の構成の使用状態を示す模式図である。
【図１２】本考案の別の実施例を示す分解斜視図である。
【考案を実施するための形態】
【００１８】
以下、本考案の実施の形態を図面に基づいて説明する。
【実施例】
【００１９】
図１に示した噴霧用ノズルは本体１０を有する。本体１０は、一端に入水穴１２が設けられ、他端に噴霧穴１４が設けられる。本体１０は、ワンピース式、ツーピース式、又はトリプルピース式である。本実施例では、本体１０がツーピース式であるが、本考案はこれらに限定されない。
【００２０】
図２を参照する。本体１０は、第１部材１０ａと第２部材１０ｂを結合して構成される。入水穴１２は第１部材１０ａの端部に位置し、噴霧穴１はが第２部材１０ｂの端部に位置する。
【００２１】
本考案の噴霧用ノズルは、更に、回転子２０と、漏れ止めユニット３０と、を含む。回転子２０と漏れ止めユニット３０は、第１部材１０ａと第２部材１０ｂを結合して構成される本体１０の内部に組み付けられる。
【００２２】
回転子２０は、第１セクション２２と、第２セクション２４と、第３セクション２６と、を有する。第２セクション２４の外径が第１セクション２２と第３セクション２６との外径よりも大きい。二つの溝２８は、第１セクション２２の端面に設けられ、側辺まで延びる。
【００２３】
漏れ止めユニット３０は、バネ３２と、プラグ３４と、から構成される。バネ３２により、漏れ止めユニット３０が回転子２０の第３セクション２６と結合する。
【００２４】
図３を参照する。本体１０の内部には、その軸方向に沿う通路４０が設けられる。具体的には、第１部材１０ａの内部には、その軸方向に沿う第１素子通路４２が設けられ、第１素子通路４２が入水穴１２と連接する。第２部材１０ｂの内部には、その軸方向に沿う、第２素子通路４４と、チェンバー４６と、が設けられる。第２素子通路４４と第１素子通路４２から通路４０が形成される。第２素子通路４４はチェンバー４６と連接し、チェンバー４６を介して第２素子通路４４が噴霧穴１４と連接する。
【００２５】
第１素子通路４２は、更に、大径通路４２ｂと連接する小径通路４２ａを含む。小径通路４２ａは、一端が入水穴１２と連接し、他端が大径通路４２ｂと連接する。大径通路４２ｂと小径通路４２ａを連接する箇所では、寄り構造４２ｃが形成される。
【００２６】
図４を参照する。回転子２０と漏れ止めユニット３０の組合は、本体１０の内部に収容される。回転子２０の第１セクション２２は噴霧穴１４に対応する。プラグ３４は入水穴１２に対応する。プラグ３４はバネ３２に付勢されて寄り構造４２ｃに当接する。
【００２７】
図５ａを参照する。ガイド構造５０は、回転子２０の第２セクション２４の表面に形成され、螺旋部５２と、流路部５４と、を有する。流路部５４は螺旋部５２のねじ溝５６に位置する。
【００２８】
回転子２０は、図５ａに示した構成を有するが、図５ｂから図５ｄに示した何れかの構成を有してもよい。
【００２９】
図５ｂを参照する。回転子２０の表面にガイド構造５０を有し、第３セクション２６が円錐台形（ｆｒｕｓｔｕｍ）を呈する。
【００３０】
図５ｃを参照する。回転子２０の表面にガイド構造５０を有し、第３セクション２６の端部に止め部２６ａが形成され、止め部２６ａが漏れ止めユニット３０に当接する。
【００３１】
図５ｄを参照する。回転子２０の表面にガイド構造５０を有し、第３セクション２６の端部に止め部２６ａが形成され、止め部２６ａから延長段２６ｂが延びている。このように、延長段２６ｂは漏れ止めユニット３０のバネ２８に挿入できる。
【００３２】
図４を参照する。ガイド構造５０の螺旋部５２の外縁は通路４０の壁面に当接する。
【００３３】
図６を参照する。螺旋部５２の外縁には、第１斜面５２ａと、第２斜面５２ｂと、が設けられ、第１斜面５２ａが第２斜面５２ｂと連接する。
【００３４】
図７を参照する。螺旋部５２の外縁には、第１斜面５２ａと、第２斜面５２ｂと、連接面５２ｃと、が設けられ、連接面５２ｃにより第１斜面５２ａと第２斜面５２ｂが連接される。
【００３５】
図６及び図７に示した構成は、螺旋部５２の外縁と通路４０の壁面の間にある隙間４８が極めて小さい。
【００３６】
上記の説明から明らかなように、通路４０の内部に組み付けられる回転子２０は、斜めになり、又は横側に変位することがない。
【００３７】
図８を参照する。チェンバー４６の内壁面は、斜面構造４６ａにしてもよい。
【００３８】
図９を参照する。チェンバー４６の内壁面は、円弧面構造４６ｂにしてもよい。
【００３９】
図１０及び図１１を参照する。水又は液体が本体１０の小径通路４２ａに流入することにより、漏れ止めユニット３０が押えられて、プラグ３４が寄り構造４２ｃから離れる。次に、水又は液体は、ガイド構造５０の流路部５４を経由してチェンバー４６に進入して、噴霧穴１４から噴出される。
【００４０】
フォギングしているときには、回転子２０が著しく斜めになり、又は横側に変位することがなく、これにより、水又は液体が回転子の周りを均一に通過でき、噴霧穴から噴出される水又は液体を均一にフォギングすることができる。
【００４１】
上記の実施例の構成は図２に示した構成をベースとする。第１部材１０ａはねじ穴１０ｃを有し、ねじ穴１０ｃの壁面に内ねじ構造１０ｄが設けられる。第２部材１０ｂの一端に螺着段１０ｅが延びており、螺着段１０ｅの表面に外ねじ構造１０ｆが設けられる。ねじ穴１０ｃと螺着段１０ｅにより、第１部材１０ａと第２部材１０ｂが結合される。
【００４２】
本考案では、上記の結合構成の他、図１２に示した結合構成にしてもよい。すなわち、第１部材１０ａに螺着段１０ｇが延びており、螺着段１０ｇの表面に外ねじ構造１０ｈが設けられ、第２部材１０ｂはねじ穴１０ｉを有し、ねじ穴１０ｉの壁面に内ねじ構造１０ｊが設けられる。螺着段１０ｇとねじ穴１０ｉにより、第１部材１０ａと第２部材１０ｂが結合される。
【００４３】
図１２に示した構成の各部材の組付け方法及び使用状態は、図２に示した構成と同じであるため、説明を省略した。
【産業上の利用可能性】
【００４４】
本考案は、噴霧用ノズルに適用することができる。
【符号の説明】
【００４５】
１０：本体
１０ａ：第１部材
１０ｂ：第２部材
１０ｃ：ねじ穴
１０ｄ：内ねじ構造
１０ｅ：螺着段
１０ｆ：外ねじ構造
１０ｇ：螺着段
１０ｈ：外ねじ構造
１０ｉ：ねじ穴
１０ｊ：内ねじ構造
１２：入水穴
１４：噴霧穴
２０：回転子
２２：第１セクション
２４：第２セクション
２６：第３セクション
２６ａ：止め部
２６ｂ：延長段
２８：溝
３０：漏れ止めユニット
３２：バネ
３４：プラグ
４０：通路
４２：第１素子通路
４２ａ：小径通路
４２ｃ：寄り構造
４２ｂ：大径通路
４４：第２素子通路
４６：チェンバー
４６ａ：斜面構造
４６ｂ：円弧面構造
４８：隙間
５０：ガイド構造
５２：螺旋面
５２ａ：第１斜面
５２ｂ：第２斜面
５２ｃ：連接面
５４：流路部
５６：ねじ溝
【図１】
0003174881.tif 000003
【図２】
0003174881.tif 000004
【図３】
0003174881.tif 000005
【図４】
0003174881.tif 000006
【図５ａ】
0003174881.tif 000007
【図５ｂ】
0003174881.tif 000008
【図５ｃ】
0003174881.tif 000009
【図５ｄ】
0003174881.tif 000010
【図６】
0003174881.tif 000011
【図７】
0003174881.tif 000012
【図８】
0003174881.tif 000013
【図９】
0003174881.tif 000014
【図１０】
0003174881.tif 000015
【図１１】
0003174881.tif 000016
【図１２】
0003174881.tif 000017